(57)【要約】【課題】画像形成装置に留め置きした印刷ジョブの印刷設定の変更を簡便にし、印刷の生産性を向上させる。【解決手段】１つの流用元留め置き印刷ジョブと、１つ以上の流用先留め置き印刷ジョブを選択可能とし、流用先留め置き印刷ジョブの印刷設定を流用元留め置き印刷ジョブの印刷設定に設定変更可能（流用設定可能）とする。【選択図】図９
2020199692.tif 000002
【特許請求の範囲】
【請求項１】
印刷ジョブを外部装置から受信する受信手段と、
受信した前記印刷ジョブを保存する保存手段と、
ユーザーの印刷指示に応じて、保存されている前記印刷ジョブを実行する実行手段と、を有し、
前記実行手段は、保存されている前記印刷ジョブのうちユーザーにより選択された第２の印刷ジョブの印刷設定を、保存されている前記印刷ジョブに含まれる第１の印刷ジョブに適用して、前記第１の印刷ジョブを実行する
ことを特徴とする画像形成装置。
【請求項２】
請求項１に記載の画像形成装置であって、
表示手段と、
前記表示手段により表示した、前記保存手段により保存した前記印刷ジョブの第１のリストから１または複数の前記第１の印刷ジョブを選択する第１の選択手段と、
前記表示手段により表示した、前記保存手段により保存した前記印刷ジョブの第２のリストから１の前記第２の印刷ジョブを選択する第２の選択手段と
をさらに有することを特徴とする画像形成装置。
【請求項３】
請求項２に記載の画像形成装置であって、
前記第２のリストには、同一の印刷設定を有する印刷ジョブについては、該印刷ジョブのうちの１つを表示する
ことを特徴とする画像形成装置。
【請求項４】
請求項１に記載の画像形成装置であって、
表示手段と、
前記表示手段により表示した、前記保存手段により保存した前記印刷ジョブのリストから、１または複数の前記第１の印刷ジョブと、１の前記第２の印刷ジョブを選択する選択手段と
をさらに有することを特徴とする画像形成装置。
【請求項５】
請求項１乃至４のいずれか一項に記載の画像形成装置であって、
前記第１の印刷ジョブが選択されている場合、選択された前記第１の印刷ジョブに適用できない印刷設定を有する印刷ジョブについては、前記第２の印刷ジョブとして選択できないように表示手段により表示し、
前記第２の印刷ジョブが選択されている場合、選択された前記第２の印刷ジョブの印刷設定を適用できない印刷設定を有する印刷ジョブについては、前記第１の印刷ジョブとして選択できないように前記表示手段により表示する
ことを特徴とする画像形成装置。
【請求項６】
印刷ジョブを外部装置から受信する受信工程と、
受信した前記印刷ジョブを保存する保存工程と、
ユーザーの印刷指示に応じて、保存されている前記印刷ジョブを実行する実行工程と、を有し、
前記実行工程では、保存されている前記印刷ジョブのうちユーザーにより選択された第２の印刷ジョブの印刷設定を、保存されている前記印刷ジョブに含まれる第１の印刷ジョブに適用して、前記第１の印刷ジョブを実行する
ことを特徴とする画像形成装置の制御方法。
【請求項７】
請求項６に記載の画像形成装置の制御方法であって、
表示手段により表示した、保存した前記印刷ジョブの第１のリストから１または複数の前記第１の印刷ジョブを選択する第１の選択手段と、
前記表示手段により表示した、保存した前記印刷ジョブの第２のリストから１の前記第２の印刷ジョブを選択する第２の選択工程と
をさらに有することを特徴とする画像形成装置の制御方法。
【請求項８】
請求項７に記載の画像形成装置の制御方法であって、
前記第２のリストには、同一の印刷設定を有する印刷ジョブについては、該印刷ジョブのうちの１つを表示する
ことを特徴とする画像形成装置の制御方法。
【請求項９】
請求項６に記載の画像形成装置の制御方法であって、
表示手段により表示した、保存した前記印刷ジョブのリストから、１または複数の前記第１の印刷ジョブと、１の前記第２の印刷ジョブを選択する選択工程
をさらに有することを特徴とする画像形成装置の制御方法。
【請求項１０】
請求項６乃至９のいずれか一項に記載の画像形成装置の制御方法であって、
前記第１の印刷ジョブが選択されている場合、選択された前記第１の印刷ジョブに適用できない印刷設定を有する印刷ジョブについては、前記第２の印刷ジョブとして選択できないように表示手段により表示し、
前記第２の印刷ジョブが選択されている場合、選択された前記第２の印刷ジョブの印刷設定を適用できない印刷設定を有する印刷ジョブについては、前記第１の印刷ジョブとして選択できないように前記表示手段により表示する
ことを特徴とする画像形成装置の制御方法。
【請求項１１】
コンピュータに、
印刷ジョブを外部装置から受信させ、
受信した前記印刷ジョブを保存させ、
ユーザーの印刷指示に応じて、保存されている前記印刷ジョブを実行させるためのプログラムであって、
前記印刷ジョブを実行させる際に、保存されている前記印刷ジョブのうちユーザーにより選択された第２の印刷ジョブの印刷設定を、保存されている前記印刷ジョブに含まれる第１の印刷ジョブに適用して、前記第１の印刷ジョブを実行させる
ことを特徴とするプログラム。
【発明の詳細な説明】
【技術分野】
【０００１】
本発明は、画像形成装置に留め置きした複数の印刷ジョブの印刷設定を一括して設定変更する画像形成装置、その制御方法、およびプログラムに関する。
【背景技術】
【０００２】
セキュリティーを目的として、留め置き印刷と呼ばれる機能を有する画像形成装置がある。この留め置き印刷機能では、プリンタドライバから投入された印刷ジョブを一旦画像形成装置内のハードディスクなどのストレージ媒体に留め置きジョブとして保存し、印刷時には、その印刷を指示したユーザーを画像形成装置の操作部からの入力などにより認証後、保存した印刷ジョブ（留め置きジョブ）を出力する。留め置き印刷では、画像形成装置の認証後、ユーザーは操作部に表示された留め置きジョブリストの中から印刷したい留め置きジョブを選択し、印刷指示をする。また、印刷指示をする前に印刷設定を変更し、変更した印刷設定を適用して印刷することも出来る。この時、留め置きジョブを印刷したい順に複数選択し、複数留め置きジョブを一括して印刷設定を変更することも可能である。
【０００３】
ここで、ユーザーが複数ジョブをプリンタドライバから投入時、全ジョブで特定の同一印刷設定で印刷実行したいが、途中まで誤った印刷設定でジョブ投入し、その後誤りに気がつき途中からユーザー所望の正しい印刷設定でジョブ投入をする場合がある。この場合、留め置き印刷機能を用い、全留め置きジョブを印刷した順に複数選択し、一括して印刷設定を手動変更することで、ユーザー所望の印刷設定・印刷順序で印刷実行することが出来る。
【０００４】
しかし上記印刷設定の手動変更では、複数設定項目を変更する場合、各設定項目を一つ一つ手動変更する必要が有りユーザーの手間となる。そこで、特許文献１では、印刷実行時の印刷設定履歴を保持し、「新規ジョブの印刷設定」に対し「印刷設定履歴の印刷設定」を流用設定（履歴設定）する方法が提案されている。この履歴設定を用いれば、留め置きジョブの印刷設定変更時に、過去の印刷設定履歴から所望の印刷設定履歴を１つ選択して流用することで、全設定項目を一括変更可能でありユーザーの手間が減る。
【先行技術文献】
【特許文献】
【０００５】
【特許文献１】特開２０１０−１３０２４５号公報
【発明の概要】
【発明が解決しようとする課題】
【０００６】
特許文献１の履歴設定では、印刷実行済みジョブの印刷設定履歴に所望の印刷設定があれば利用することができるが、所望の印刷設定が無い場合は利用することが出来ない。そのため前述の事例のように、途中まで誤った印刷設定でジョブ投入し途中から所望の正しい印刷設定でジョブ投入した場合、印刷設定履歴に所望の印刷設定が無ければ、手動変更または以下の方法により履歴設定をするしかない。
【０００７】
まず、留め置きジョブリストの中から所望の正しい印刷設定のジョブを選択し、印刷実行する。これにより所望の正しい印刷設定の印刷設定履歴が生成される。続いて、留め置きジョブリストの中から誤った印刷設定のジョブを選択し、所望の正しい印刷設定の印刷設定履歴から流用設定（履歴設定）し、印刷実行する。
【０００８】
しかしこの方法では、正しい印刷設定のジョブの印刷実行を誤った印刷設定のジョブの印刷実行よりも先に実行する必要が有るため、ユーザーは印刷したい順に留め置きジョブを選択して一括印刷実行することが出来ない。また、正しい印刷設定のジョブの印刷実行と、誤った印刷設定のジョブの印刷設定とで、２回に分けて印刷対象ジョブを選択し印刷実行する必要が有り、ユーザーの手間となる。
【０００９】
本発明は上記従来例に鑑みて成されたもので、留め置きジョブの印刷設定の変更を小さな労力で迅速に行い、画像形成の生産性を向上させることを目的とする。
【課題を解決するための手段】
【００１０】
上記目的を達成するために本発明は以下の構成を有する。すなわち本発明の一側面によれば、印刷ジョブを外部装置から受信する受信手段と、
受信した前記印刷ジョブを保存する保存手段と、
ユーザーの印刷指示に応じて、保存されている前記印刷ジョブを実行する実行手段と、を有し、
前記実行手段は、保存されている前記印刷ジョブのうちユーザーにより選択された第２の印刷ジョブの印刷設定を、保存されている前記印刷ジョブに含まれる第１の印刷ジョブに適用して、前記第１の印刷ジョブを実行する
ことを特徴とする画像形成装置が提供される。
【発明の効果】
【００１１】
本発明によると、留め置きジョブの印刷設定の変更を小さな労力で迅速に行い、画像形成の生産性を向上させることができる。
【図面の簡単な説明】
【００１２】
【図１】ネットワーク構成例を示す図である。
【図２】画像形成装置１０２のハードウェア構成図である。
【図３】画像形成装置１０２のソフトウェア構成図である。
【図４】書誌情報リスト例を示す図である。
【図５】印刷ジョブリスト例を示す図である。
【図６−１】プリント設定画面例を示す図である。
【図６−２】プリント設定画面例を示す図である。
【図７−１】流用設定画面による印刷設定変更（流用設定）を含む印刷実行フロー図である。
【図７−２】流用設定画面による印刷設定変更（流用設定）を含む印刷実行フロー図である。
【図８−１】流用設定画面による印刷設定変更（流用設定）の画面例を示す図である。
【図８−２】流用設定画面による印刷設定変更（流用設定）の画面例を示す図である。
【図８−３】流用設定画面による印刷設定変更（流用設定）の画面例を示す図である。
【図８−４】流用設定画面による印刷設定変更（流用設定）の画面例を示す図である。
【図８−５】流用設定画面による印刷設定変更（流用設定）の画面例を示す図である。
【図８−６】流用設定画面による印刷設定変更（流用設定）の画面例を示す図である。
【図９】流用設定チェックボックスによる印刷設定変更（流用設定）を含む印刷実行フロー図である。
【図１０−１】流用設定チェックボックスによる印刷設定変更（流用設定）の画面例を示す図である。
【図１０−２】流用設定チェックボックスによる印刷設定変更（流用設定）の画面例を示す図である。
【発明を実施するための形態】
【００１３】
以下、添付図面を参照して実施形態を詳しく説明する。なお、以下の実施形態は特許請求の範囲に係る発明を限定するものではない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１４】
［実施例１］
本実施例では、外部装置であるＰＣ（パーソナルコンピュータ）１０１から画像形成装置１０２に対して印刷ジョブを投入する例を説明する。画像形成装置１０２は、ＰＣ１０１から投入された印刷ジョブをすぐに印刷するのではなく、いったん画像形成装置１０２が具備するハードディスクドライブ（ＨＤＤ）２０５等に印刷ジョブを留め置き保存する。そして、ユーザーが画像形成装置１０２の操作部２０７等を操作することにより、画像形成装置１０２で留め置きした印刷ジョブを複数選択し、印刷設定を変更して印刷する。このとき、ユーザーが一回の印刷設定の変更操作を行うだけで、選択した複数の印刷ジョブに一括して印刷設定の変更を適用することで、簡単に印刷設定の変更をして印刷ができる。なお留め置き印刷ジョブは、印刷ジョブを生成するドライバ(例えばプリンタドライバ)において印刷ジョブに対して指定してもよいし、画像形成装置の設定により留め置きを行うようにしてもよい。後者の場合には、受信した印刷ジョブすべてを留め置きジョブとしてもよい。
【００１５】
●システム構成
図１は、本実施の一形態に係るネットワーク構成の一例を示す図である。ＬＡＮ１０５には、印刷ジョブを投入するＰＣ１０１と、投入された印刷ジョブを処理する画像形成装置１０２が接続される。接続されるＰＣおよび画像形成装置の数はこれに限定されるものではない。画像形成装置１０２はＰＣ１０１から投入された印刷ジョブを一意に特定するための書誌情報を管理する。なお、本実施例では印刷ジョブの投入元をＰＣ１０１としているが、ＰＣ以外のデバイス（例えば、携帯端末や他の画像形成装置など）であっても構わない。ＰＣ１０１は汎用コンピュータであり、ＣＰＵ、メモリ、ストレージ、ＬＡＮなどへの通信インターフェースなどを有する。そしソフトウェアとして、オペレーティングシステムや画像形成装置１０２に対応したドライバなどの基本的なプログラムのほか、文書データを生成し、印刷することができるアプリケーションプログラムを有する。本実施例の画像形成装置１０２はいわゆる複合機とするが、留め置き印刷機能（および本実施例の印刷設定機能）を有するものであれば複合機とは限らず、どのような画像形成装置であってもよい。
【００１６】
ユーザーは例えばアプリケーションプログラムを使用して文書データを作成し、その印刷を指示する。その際には、画像形成装置１０２のドライバが提供するユーザーインターフェースを介して印刷設定を行い、また本例では留め置き印刷の指定も行っておく。その印刷が実行されると、印刷ジョブが、指定した印刷設定および印刷対象の印刷データとともに画像形成装置１０２に送信される。それを受信した画像形成装置１０２は、受信した印刷ジョブが留め置きジョブであると判定すると、印刷データとともにハードディスクなどに格納する。それとともに留め置きジョブのリスト（書誌情報リスト）に、そのジョブＩＤやジョブ名称、オーナーのユーザーＩＤ、印刷設定などの情報を追加登録する。
【００１７】
ユーザーが画像形成装置１０２でユーザー認証を行い、ログインすると、画像形成装置１０２はログインしたユーザーが印刷可能な印刷ジョブ（留め置きジョブ）のリストの取得、表示を行う。ユーザーがその中から所望の印刷ジョブを選択すると、画像形成装置１０２は選択された印刷ジョブの印刷データを取得し、印刷する。
【００１８】
図２は、画像形成装置１０２の全体の構成を示すブロック図である。画像形成装置１０２内のコントローラユニット２０１において、ＣＰＵ２０２はシステム全体を制御する演算装置である。ＲＡＭ２０３はＣＰＵ２０２が動作するためのシステムワークメモリであり、画像データを一時記憶するための画像メモリである。また、ＲＡＭ２０３はオペレーティングシステムやシステムソフトウェア、アプリケーションソフトウェアなどのプログラムやデータも配置される。ＲＯＭ２０４はシステムのブートプログラムが格納されている。ハードディスクドライブ（ＨＤＤ）２０５はオペレーティングシステムやシステムソフトウェア、アプリケーションソフトウェア、画像データ、設定データなどを格納する。操作部Ｉ／Ｆ２０６は操作部２０７とのインターフェース部であり、操作部２０７に表示する情報を操作部２０７に対して出力する。また、操作部２０７からユーザーが入力した情報を受け付ける。ネットワークＩ／Ｆ２０８はネットワーク（ＬＡＮ）１０５に接続し、同一ＬＡＮ上に接続されたＰＣや別の画像形成装置と情報の入出力を行う。デバイスＩ／Ｆ２０９は画像入出力デバイスであるスキャナ２１０、プリンタ２１１とコントローラユニット２０１を接続し、画像データの入力や出力を行う。以上のデバイスがシステムバス２１２上に配置される。
【００１９】
図３は画像形成装置１０２のシステムソフトウェアの機能構成を示すブロック図である。システムソフトウェア３０１はＲＡＭ２０３、ＲＯＭ２０４、ＨＤＤ２０５のいずれかの記憶手段に記憶され、ＣＰＵ２０２により実行される。ＵＩ（ユーザーインターフェース）制御部３０２はユーザーが操作部２０７によって入力した情報を操作部Ｉ／Ｆ２０６を経由して受信し、その情報を認証部３０３、データ管理部３０４、ジョブ管理部３０７に送信する。あるいは、ＵＩ制御部３０２は、認証部３０３、データ管理部３０４、ジョブ管理部３０７からの応答を受信し、その情報を操作部Ｉ／Ｆ２０６を経由して操作部２０７に出力する。
【００２０】
認証部３０３はＵＩ制御部３０２から受信した認証情報に基づいてユーザー認証処理を行い、その結果を返す。データ管理部３０４はＵＩ制御部３０２、ネットワーク制御部３０６、ジョブ管理部３０７からのデータ書き込み、読み出し要求を受信し、記憶制御部３０５にデータ書き込み、読み出し要求を送信する。あるいは、データ管理部３０４は、記憶制御部３０５からの応答を受信し、その情報をＵＩ制御部３０２、ネットワーク制御部３０６、ジョブ管理部３０７に送信する。
【００２１】
記憶制御部３０５はデータ管理部３０４からのデータ書き込み、読み出し要求を受信して、ＨＤＤ２０５に対してデータの書き込み、読み出しを行い、その結果をデータ管理部３０４に返す。ネットワーク制御部３０６はＬＡＮ１０５上に接続されたＰＣ１０１や任意の画像形成装置からの要求をネットワークＩ／Ｆ２０８を経由して受信する。そして、ネットワーク制御部３０６は受信した要求に応じてデータ管理部３０４、ジョブ管理部３０７に処理を要求する。あるいは、ネットワーク制御部３０６は、データ管理部３０４、ジョブ管理部３０７からの応答を受信する。そして、ネットワーク制御部３０６は受信した応答をネットワークＩ／Ｆ２０８を経由してＬＡＮ１０５上に接続されたＰＣ１０１や任意の画像形成装置に送信する。
【００２２】
ジョブ管理部３０７はＵＩ制御部３０２、ネットワーク制御部３０６からのジョブ実行要求を受信し、ジョブを管理する。そして、ジョブ管理部３０７はジョブ制御部３０８にジョブ実行を要求する。あるいは、ジョブ管理部３０７はデータ管理部３０４にデータ書き込み、読み出し要求を送信する。あるいは、ジョブ管理部３０７はデータ管理部３０４、ジョブ制御部３０８からの応答を受信し、ＵＩ制御部３０２、ネットワーク制御部３０６に対して、ジョブの状態を送信する。ジョブ制御部３０８はジョブ管理部３０７からのジョブ実行要求を受信し、デバイスＩ／Ｆ２０９を経由してスキャナ２１０、プリンタ２１１の動作を制御する。あるいは、ジョブ制御部３０８はスキャナ２１０、プリンタ２１１の動作状態をデバイスＩ／Ｆ２０９を経由して受信し、ジョブ管理部３０７に送信する。
【００２３】
●書誌情報リスト
図４は、画像形成装置１０２のＨＤＤ２０５に保存した書誌情報リストの一例を示す図である。書誌情報リスト４０１は、印刷ジョブが投入された日時４０２、印刷ジョブを投入したユーザー名４０３、投入された印刷ジョブの格納場所４０４、印刷ジョブ名４０５、流用設定４０６、印刷設定４０７からなる。流用元情報４０６は、印刷ジョブ投入時には「設定なし」でＨＤＤ２０５に保存され、後述する流用設定にて流用元の書誌情報が選択された際に、該当書誌情報の流用元情報４０６が「設定なし」から「設定あり」へ更新される。印刷設定４０７は、部数、カラー選択、両面プリント、ページ集約、製本からなる。ただし、書誌情報リスト４０１はこれらに限定するものではなく、例えば印刷設定４０７としてホチキスの設定等を含めても良い。書誌情報４０８から４１２は各印刷ジョブの書誌情報を示す。書誌情報４０８〜４１０は、部数が３部、カラー選択が白黒、両面プリントが設定あり、ページ集約が２in1、製本が設定ありで投入された印刷ジョブの書誌情報である。書誌情報４１１、４１２は、部数が１部、カラー選択が自動、両面プリントが設定なし、ページ集約が１in1、製本が設定なしで投入された印刷ジョブの書誌情報である。
【００２４】
●印刷ジョブリストの表示
次に、ＵＩ制御部３０２が操作部２０７に表示する印刷ジョブリストについて説明する。ユーザーは、操作部２０７に表示される不図示のログイン画面を操作し、画像形成装置１０２にログインする。その後、操作部２０７に表示される不図示の機能選択画面を操作し、画像形成装置１０２に格納された自分の印刷ジョブリストを表示する。本実施例では、ユーザー名がＵｓｅｒ１のユーザーが本操作を実施する例で説明する。ＵＩ制御部３０２が印刷ジョブリストの表示要求を受信すると、データ管理部３０４は記憶制御部３０５を経由し、印刷ジョブの入稿処理でＨＤＤ２０５に格納した書誌情報からユーザー名がＵｓｅｒ１の書誌情報リストを取得する。ＵＩ制御部３０２は操作部２０７に印刷ジョブリスト画面を表示し、Ｕｓｅｒ１の書誌情報リストを用いてＵｓｅｒ１が入稿した印刷ジョブの情報を表示する。
【００２５】
図５は、操作部２０７に表示するＵｓｅｒ１の印刷ジョブリスト画面の一例である。本画面では、ユーザーが留め置きした印刷ジョブの操作をすることができる。
【００２６】
図５（Ａ）の印刷ジョブリスト画面５００は、操作部２０７へ印刷ジョブリストを表示した際の初期画面例である。ユーザーがプリント待ち５０１を選択すると、ジョブ管理部３０７は認証部３０３よりログインユーザーのユーザー名を取得する。そして、取得したユーザー名を用いて、ユーザー名が含まれる書誌情報を書誌情報リスト４０１から検索することで、ログインユーザーに対応する書誌情報を探す。ログインユーザーに対応する書誌情報があった場合は、ＵＩ制御部３０２は操作部２０７に取得した書誌情報のうち、プリント待ち状態のジョブの書誌情報を表示する。なおプリント待ち／プリント済みの別は、留め置きジョブごとに、書誌情報に関連付けて保存してもよい。例えば一度でも印刷されればプリント済みに設定される。
【００２７】
例えば、ログインユーザーのユーザー名がＵｓｅｒ１の場合、書誌情報リスト４０１から書誌情報４０８と４０９が取得できる。取得した書誌情報はそれぞれジョブ情報５１２と５１３に表示する。ユーザーがプリント済み５０２を選択すると、ジョブ管理部３０７は過去に印刷を実行した印刷ジョブの書誌情報を不図示のプリント済み画面として操作部２０７に表示する。ユーザーが更新５０３を選択すると、ジョブ管理部３０７は書誌情報リスト４０１を検索し、ＵＩ制御部３０２は表示している書誌情報を更新する。選択欄５０４は、ユーザー操作により書誌情報の選択状態を表現する。ジョブ名/プリント設定５０５は、ＵＩ制御部３０２は印刷ジョブ名４０５と印刷設定４０７の一部を表示する。ただし、印刷設定４０７の表示は、これに限定されるものではない。日時５０６はジョブが投入された日時であり、ＵＩ制御部３０２は日時４０２と同等の表示をする。枚数x部数５０７は当該ジョブの印刷枚数と指定された部数であり、ＵＩ制御部３０２は「印刷ジョブを解析した枚数」と「印刷設定４０７にある部数」と同等の表示をする。ユーザー名５０８はジョブのオーナーであるユーザー名であり、ＵＩ制御部３０２はユーザー名４０３と同等の表示をする。ジョブ情報５１２と５１３はＵｓｅｒ１の印刷ジョブの書誌情報のうちの表示対象であるジョブ情報である。ユーザーがログアウト５１１を選択すると、認証部３０３はログアウト処理を実施し、ＵＩ制御部３０２は操作部２０７に非図示のユーザー認証画面を表示する。流用設定５１０については、図５（Ｂ）にて説明する。
【００２８】
図５（Ｂ）の印刷ジョブリスト画面５２０は、図５（Ａ）においてユーザーが全選択５０９を選択した後の画面である。
【００２９】
図５（Ａ）においてユーザーが全選択５０９を選択すると、ＵＩ制御部３０２は全ての書誌情報（図５（Ａ）では書誌情報５１２と５１３）の選択５０４にチェックをつけ、すべての書誌情報を選択状態にする。この時、書誌情報が複数選択されると、図５（Ｂ）のチェック５１８、５１９のようにユーザーが指定した順に番号表示され、印刷順もこの番号順に実行される。図５（Ｂ）の選択状態では印刷実行時、書誌情報５１２、５１３の順に印刷ジョブが実行される。ここで全選択５０９による選択時は、投入されたジョブ順序で印刷順も指定される。また、ユーザーが図５（Ａ）において書誌情報５１２、５１３の順に一つずつ書誌情報を選択した場合も、同様に図５（Ｂ）の画面状態となる。ユーザーが書誌情報を順に一つずつ複数選択する場合は、ユーザーが選択した書誌情報順が印刷順の指定となる。
【００３０】
また、図５（Ｂ）の書誌情報選択状態では、図５（Ａ）の全選択５０９は非表示となり、選択解除５１４、プリント開始５１５、ジョブ削除５１６、プリント設定５１７の各ボタン（あるいはコントロール）が表示される。選択解除５１４を選択すると、選択中の全書誌情報が選択解除されて図５（Ａ）の画面状態に戻る。プリント開始５１５を選択すると、ジョブ管理部３０７は選択された印刷ジョブの印刷を実行する。ジョブ削除５１６を選択すると、ジョブ管理部３０７は選択された印刷ジョブを削除する。プリント設定５１７を選択すると選択された印刷ジョブの印刷設定を変更することができる。複数印刷ジョブを選択してプリント設定５１７を選択した場合は、選択した印刷ジョブ全てが変更後の印刷設定となる。流用設定５１０は、本発明を特徴とするボタンであり、留め置きした印刷ジョブの中から選択５０４で選択した複数印刷ジョブの印刷設定を、留め置きした任意１印刷ジョブの印刷設定へと揃えるように印刷設定変更（流用設定）するための手段に用いられる。流用設定５１０を選択すると、留め置きした任意１印刷ジョブを印刷設定の流用元として選択する流用設定画面に遷移し、流用元の印刷ジョブを選択することが出来る。ここで選択された流用元の印刷ジョブの印刷設定は、５０４で選択された書誌情報の印刷ジョブを印刷実行する際に、流用設定された上で印刷実行される。流用設定画面については後述する図７、図８−１〜図８−６にて詳細説明する。
【００３１】
●留め置きジョブの印刷設定
図６−１、図６−２は先述したプリント設定画面の一例である。図６−１（Ａ）はプリント設定画面を表示するときに最初に表示する初期画面６００である。選択ジョブ数６０１は、印刷ジョブリスト５００で選択した書誌情報の数を表示している。つまり、ここで表示されているジョブ数分の印刷設定を一括して変更することを意味している。変更６０２は部数を変更する機能を有効にするためのボタンであり、押下することで部数を変更する設定を有効にする。カラー変更６０３はカラー選択を変更する機能を有効にするためのボタンであり、押下することでカラー選択する設定を有効にする。両面変更６０４は両面プリントを変更する機能を有効にするためのボタンであり、押下することで両面プリントを変更する設定を有効にする。集約変更６０５はページ集約を変更する機能を有効にするためのボタンであり、押下することでページ集約を変更する設定を有効にする。キャンセル６０６は、押下することによりプリント設定画面で設定した印刷設定の変更を無効とし、前の画面に戻る。プリント開始６０７は、押下することによりプリント設定画面で設定した印刷設定の変更を印刷ジョブリスト５００で選択した印刷ジョブすべてに適用し、印刷ジョブの印刷を開始する。ログアウト６０８は、押下することにより認証部３０３がログアウト処理を実施し、ＵＩ制御部３０２は操作部２０７に非図示のユーザー認証画面を表示する。全体ページ数６０９はプリント設定画面の現在ページ番号と全体ページ数である。図６−１（Ａ）では、全体ページ数６０９は、全体が２ページあり、現在は１ページ目を表示していることを表している。前ページ６１０は前のページを表示するためのボタンである。図６−１（Ａ）では、１ページ目より前のページは存在しないため、このボタンは網掛け表示しており、ユーザー操作はできない。次ページ６１１は次のページを表示するためのボタンである。
【００３２】
図６−１（Ｂ）はプリント設定の二番目の画面６２０である。ボタン６１１を押下することで、本画面を表示する。画面６２０は初期画面６００と類似の構成である。綴じ変更６２２はステープルを変更する機能を有効にするボタンであり、押下することでステープルで綴じる設定を有効にする。製本変更６２３は製本を変更する機能を有効にするボタンであり、押下することで製本する設定を有効にする。ボタン６２１、６２４〜６２９は、それぞれボタン６０１、６０６〜６１１と同等であるため、説明を省略する。
【００３３】
図６−２（Ｃ）は初期画面６００で変更６０２〜６０５の全てを選択した時の画面例６４０である。変更６４２〜６４５が選択状態となっている。ボタン６４１、６５５〜６６０は、それぞれボタン６０１、６０６〜６１１と同等であるため、説明を省略する。６４６は部数の現在の設定値を表している。現在の設定値は１部である。マイナスボタン６４７は部数を１部減らすために使用する。部数の現在の設定値６４６が１部であり、部数の下限が１部であるため、マイナスボタン６４７は網掛け表示しており、ユーザー操作はできない。プラスボタン６４８は部数を１部増やすために使用する。カラー設定６４９はカラー選択の現在の設定値を表している。現在の設定値は自動(カラー/白黒)である。これは、印刷ジョブの各ページの内容に応じて、カラー印刷するか白黒印刷するかを自動で切り替えることを意味している。カラー変更６５０は、押下することでカラー選択を変更するための不図示の画面を表示する。両面設定６５１は両面プリントの現在の設定値を表している。現在の設定値は設定なしである。これは、印刷ジョブを片面設定で印刷することを意味している。両面変更６５２は、押下することで両面プリントを変更するための不図示の画面を表示する。集約設定６５３はページ集約の現在の設定値を表している。現在の設定値は1 in 1である。これは、印刷ジョブの各ページを1枚の用紙にレイアウトして印刷することを意味している。集約変更６５４は、押下することで非図示のページ集約を変更するための画面を表示する。
【００３４】
図６−２（Ｄ）はプリント設定の二番目の画面６２０で変更６２２、６２３を選択した時の画面例６８０である。変更６８２、６８３が選択状態となっている。画面６８０は画面６４０と類似の構成である。ボタン６８１、６８８〜６９３は、それぞれボタン６０１、６０６〜６１１と同等であるため、説明を省略する。ステープル設定６８４はステープルの現在の設定値を表している。現在の設定値は設定なしである。これは、印刷時にステープルをしないで印刷することを意味している。ステープル変更６８５は、押下することでステープルを変更するための不図示の画面を表示する。製本設定６８６は製本の現在の設定値を表している。現在の設定値は設定なしである。これは、印刷時に製本をしないで印刷することを意味している。製本変更６８７は、押下することで製本を変更するための不図示の画面を表示する。
【００３５】
●印刷設定の変更及び印刷実行手順
図７−１、図７−２は流用設定画面による印刷設定変更（流用設定）を含む印刷実行フローである。なお図７−１、図７−２は一連の処理を分割したものなので、以下の説明ではまとめて図７と称することがある。図７−１、図７−２を用いて、留め置き印刷ジョブの中から１つ以上の印刷ジョブを選択し、選択した印刷ジョブを一括で印刷実行する印刷実行フローを説明する。この印刷実行フローには、プリント設定画面で印刷設定の各設定項目を変更する印刷設定変更フロー（プリント設定フロー）を含む。また図７の印刷実行フローは、本実施例において特徴的な、「選択した印刷ジョブの印刷設定」を「留め置きした任意の１印刷ジョブの印刷設定」へ印刷設定変更（流用設定）する印刷設定変更フロー（流用設定フロー）を含む。図７のフローチャートは、システムソフトウェア３０１において、画像形成装置１０２のＣＰＵ２０２で実行される。
【００３６】
また図８−１〜図８−６は流用設定画面による印刷設定変更（流用設定）の画面例であり、図７における流用設定フローにおいて、操作部２０７に表示される画面である。
【００３７】
まず、図７のフローチャートについて概要説明する。Ｓ７０１〜Ｓ７０４、Ｓ７０７の処理は、留め置きジョブから書誌情報が選択され（Ｓ７０３−ＹＥＳ）、かつ流用設定がされていない場合に（Ｓ７０５−ＮＯ）、選択された書誌情報の印刷ジョブを一括印刷実行（Ｓ７０７）するフローである。ここでＳ７０２において、表示された書誌情報からユーザーにより所望の書誌情報（すなわち所望の印刷ジョブ）が選択される。Ｓ７０８〜Ｓ７１３は、選択した書誌情報（Ｓ７０３）の印刷設定について各各項目をユーザーが手動で印刷設定変更する際のフローである。すなわち、プリント設定が選択されると（Ｓ７０８−ＹＥＳ）、Ｓ７０９においてプリント設定画面で選択され、設定された設定項目について、設定された値を適用する（Ｓ７１３）。
【００３８】
また、Ｓ７１４〜Ｓ７２１およびＳ７０５、Ｓ７０６は、本実施例の特徴を示すフローである。すなわち、操作されたボタンが流用設定ボタンの場合に（Ｓ７１４−ＹＥＳ）、「選択した書誌情報の印刷設定（Ｓ７０３、流用先）」に「留め置き中の１書誌情報の印刷設定（流用元）」（Ｓ７１５で指定）を流用して設定変更（流用設定）するための、流用元書誌情報の選択フローを示している。Ｓ７２２〜Ｓ７２７も同様に本実施例の特的なフローであり、Ｓ７１４〜Ｓ７１９と同等の流用元書誌情報の選択フローである。Ｓ７２２〜Ｓ７２７は、Ｓ７０３で印刷設定流用先の書誌情報を選択する前に、流用元の書誌情報を選択する点のみがＳ７１４〜Ｓ７１９と異なる。
【００３９】
●設定変更しない場合の印刷手順
続いて、図７のフローチャートについて詳細説明する。まず、Ｓ７０１〜Ｓ７０４、Ｓ７０７について詳細説明する。なお以下の説明では、ユーザーインターフェースに表示された書誌情報は対応する印刷ジョブに係る情報であり、書誌情報の選択とは対応する印刷ジョブの選択を、書誌情報の実行とは対応する印刷ジョブの実行を意味しているということができる。
【００４０】
図７−１のＳ７０１では、ユーザーが操作部２０７より不図示のログイン画面を操作し、画像形成装置１０２にログインした際に、ジョブ管理部３０７は認証部３０３から取得したログインユーザー名に基づき、ログインユーザーの書誌情報リストを取得する。そして、取得した書誌情報リストを操作部２０７に印刷ジョブリスト画面として表示し（Ｓ７０２）、ユーザー操作により書誌情報の選択が可能な状態とする。Ｓ７０２で表示する印刷ジョブリスト画面例は図８−１（Ａ）の印刷ジョブリスト画面８００である。
【００４１】
図８−１（Ａ）は図５（Ａ）と同一構成であり、印刷ジョブリスト画面８００は画面５００と同等である。画面ユースケースの説明のため、図８−１（Ａ）ではＳ７０１で取得される書誌情報として、図５（Ａ）で説明した書誌情報５１２、５１３に加え書誌情報８０１〜８０３も取得されたものとする。図８−１（Ａ）で画面表示される書誌情報は、ログインユーザーがＰＣ１０１上のプリンタドライバを用いて、書誌情報５１２、５１３、８０１〜８０３に対応する印刷ジョブを事前に画像形成装置１０２へ投入している。本実施例の画面ユースケースにおいて、書誌情報５１２、５１３、８０１はユーザー所望の印刷設定でジョブ投入されたものとする。一方、書誌情報８０２、８０３はユーザーがＰＣ１０１上のプリンタドライバにて所望の印刷設定にするのを忘れ、所望の印刷設定とは異なる印刷設定にてジョブ投入されたものとする。ここで、書誌情報５１２、５１３、８０１〜８０３に対してユーザーが所望する印刷設定はいずれも同一の印刷設定であることを想定する。図８−１では、書誌情報５１２、５１３、８０１〜８０３を選択し、選択した全書誌情報の印刷設定を書誌情報８０１の印刷設定へと一括で設定変更し（流用設定）、印刷実行する際の画面ユースケースを示している。これにより、所望の印刷設定をし忘れてジョブ投入した書誌情報８０２、８０３を所望の印刷設定へと訂正した上で、書誌情報５１２、５１３、８０１〜８０３を所望の順に一括印刷実行可能となる。すなわちこの流用設定により、選択した第１の書誌情報に対応する印刷ジョブ（流用先である第１の印刷ジョブ）の印刷設定を、別途選択した第２の書誌情報に対応する印刷ジョブ（流用元である第２の印刷ジョブ）の印刷設定で置き換え、第１の印刷ジョブを実行することが可能となる。なお流用により置換される印刷設定は、本実施例では、書誌情報に表示されている設定項目、例えば白黒／カラー、サイズ、両面／片面、レイアウト（Ｎイン１設定）であってよい。しかし、書誌情報として表示されていない設定項目を含んでもよいし、書誌情報として表示されている設定項目すべてを含まなくともよい。
【００４２】
続いて、図７のＳ７０３では、ユーザーが書誌情報を選択したか否かを判断する。書誌情報が選択されていればＳ７０４へ進み、書誌情報が選択されていなければＳ７２２へ進む。Ｓ７０３における表示画面例は図８−１（Ｂ）である。図８−１（Ｂ）は図５（Ｂ）と同一構成であり、印刷ジョブリスト画面８２０は、画面５２０と同等である。図８−１（Ｂ）では選択５０４において、ユーザーは図５（Ｂ）におけるチェック５１８、５１９に加えて、チェック８２１、８２２、８２３も選択したものとする。図８−１（Ｂ）の選択状態では印刷実行時、書誌情報５１２、５１３、８０１、８０２、８０３の順に対応する印刷ジョブが実行される。
【００４３】
Ｓ７０４でプリント開始５１５が押下されたと判定すると、Ｓ７０５へ進み流用設定の有無を判断する。ここで、流用設定の有無についての判断は後述する。Ｓ７０５で流用設定が無い場合は、Ｓ７０７へ進み、前記Ｓ７０３で選択された書誌情報の印刷ジョブを選択された順に一括で印刷実行する。Ｓ７０５で流用設定が有る場合はＳ７０６へ進む。Ｓ７０６については後述する。
【００４４】
●手動による印刷設定変更手順
次に、図７−２のＳ７０８〜Ｓ７１３について詳細説明する。Ｓ７０４でプリント開始５１５が押下されていない場合、Ｓ７０８へ進みプリント設定５１７が押下されたか否かを判断する。Ｓ７０８でプリント設定５１７が押下されたと判定すると、Ｓ７０９へ進み図６−１（Ａ）にて説明したプリント設定画面６００を表示し、設定操作に応じてプリント設定画面６００、６２０、６４０、６８０にて各印刷設定を設定変更する。Ｓ７１０にて、プリント設定画面上でキャンセル６０６、６２４、６５５、６８８が押下されたと判定すると、書誌情報の選択が取り消されてＳ７０２へ進み、書誌情報が選択された状態の印刷ジョブリスト画面８２０へ戻る。このとき書誌情報が選択されていない状態の印刷ジョブリスト画面８００へ戻してもよい。また、キャンセル６０６、６２４、６５５、６８８が押下されていない場合、Ｓ７１１へと進む。そして、Ｓ７１１にて、プリント開始６０７、６２５、６５６、６８９が押下されたと判断した場合はＳ７１２へ進み、いずれも押下されていないと判断した場合はＳ７０９へ進む。Ｓ７１２ではユーザーがプリント設定画面６００、６２０、６４０、６８０で印刷設定の変更を行ったか否かを判断する。Ｓ７１２にてユーザーが印刷設定の変更を行っていないと判断した場合、Ｓ７０７へ進み、Ｓ７０３で選択された全書誌情報の印刷ジョブを、選択された順序で、一括で印刷実行する。ユーザーが印刷設定の変更を行った場合はＳ７１３へ進み、ユーザーが変更した印刷設定を、Ｓ７０３で選択された全書誌情報の印刷設定に適用する。印刷設定の適用は、Ｓ７１１でプリント開始６０７、６２５、６５６、６８９押下をＵＩ制御部３０２が受信し、データ管理部３０４にてＳ７１２のプリント設定変更判断後、記憶制御部３０５経由でＨＤＤ２０５の該当書誌情報の印刷設定を更新する。そしてＳ７０７へ進み、Ｓ７０３で選択された全書誌情報の印刷ジョブを一括で印刷実行する。
【００４５】
●印刷情報の流用による印刷設定変更手順
続いて、Ｓ７１４〜Ｓ７２１および、Ｓ７０５、Ｓ７０６について詳細説明する。Ｓ７０８でプリント設定５１７が押下されていないと判断した場合、Ｓ７１４へ進み流用設定５１０が押下されたか否かを判断する。流用設定５１０が押下されていない場合Ｓ７０２へ進み図８−１（Ｂ）の印刷ジョブリスト画面８２０の表示状態が継続され、押下された場合はＳ７１５へ進む。Ｓ７１５では、Ｓ７０３で選択された全書誌情報の印刷設定を、留め置きした書誌情報の内から選択された書誌情報の印刷設定へと揃えるよう設定変更（流用設定）するために、設定変更の流用元となる書誌情報を選択するための流用設定画面を表示する。なお流用元として選択できる書誌情報は、一つの印刷ジョブの書誌情報に限るものとする。
【００４６】
図８−２（Ｃ）の画面８４０が流用設定画面の画面例である。図８−２（Ｃ）では、流用元の候補となる留め置きジョブの書誌情報リスト８５０〜８５４を表示している。この書誌情報リスト８５０〜８５４は、それぞれ図８−１（Ｂ）の書誌情報５１２、５１３、８０１〜８０３と同一の書誌情報を表示している。また図８−２（Ｃ）の８４２〜８４５、８４６〜８４８は、それぞれ図８−１（Ｂ）の５０５〜５０８、５１５〜５１７と同一の表示情報・ボタン機能を示すため説明を省略する。図８−２（Ｃ）の選択８４１は、前述の設定変更の流用元となる書誌情報を、書誌情報リスト８５０〜８５４の中から１つ選択するチェックボックスであり、図８−２（Ｃ）では例えばチェック８５５のように選択する。複数の書誌情報が選択された場合には、たとえば後の選択を優先してよい。
【００４７】
Ｓ７１５にて流用設定画面８４０表示後、Ｓ７１６にてキャンセル８４８が押下された場合はＳ７０２へ進み、キャンセル８４８が押下されていない場合はＳ７１７へ進む。このキャンセル８４８は、流用設定画面８４０表示後に選択８４１でユーザーが流用設定元の書誌情報を選択したか否かによらず押下可能である。キャンセル８４８押下時に、選択８４１で流用設定元の書誌情報が選択されていた場合は、流用設定元の選択を無効とした上でＳ７０２へ進む。また、Ｓ７０２へ進んだ際は、図８−１（Ｂ）の印刷ジョブリスト画面８２０に戻る。
【００４８】
Ｓ７１７では、図８−２（Ｃ）の選択８４１でユーザーが印刷設定流用元の書誌情報を選択したか否か判断し、選択されていなければＳ７１５へ進み、選択されていればＳ７１８へ進む。Ｓ７１８では図８−２（Ｃ）にて適用８４８が押下されたか否かを判断する。
【００４９】
Ｓ７１８で適用８４８が押下されたと判定し、ＵＩ制御部３０２がそれを受信すると、データ管理部３０４が記憶制御部３０５を経由し、選択８４１で選択した書誌情報の流用元情報４０６を「設定無し」から「設定あり」へ更新しＨＤＤ２０５に保存する（Ｓ７１９）。そして、Ｓ７１９にて流用元情報を保存後、Ｓ７０２へ進み印刷ジョブリスト画面へ戻り、図８−２（Ｄ）の画面８６０の表示状態となる。保存する流用元情報は、印刷ジョブに関連付けられた、流用元であることを示す情報であればよい。例えば本実施例では、書誌情報に流用元であることを示すフラグを含めておき、流用元として指定されたならそれをセットすればよい。また他の情報であってもよく、流用元が一つに限られるのであれば、流用元の印刷ジョブを特定できるジョブＩＤを流用元情報として保存してもよい。あるいは、流用元として指定された印刷ジョブの印刷設定を保存してもよい。図８−２（Ｄ）では、Ｓ７１９で保存された流用元情報に基づき、流用元書誌情報であることを示すチェック８６２が流用元選択８６１に表示される。図８−２（Ｄ）では、書誌情報８０１が流用元の書誌情報であることを示している。また、図８−２（Ｄ）の流用設定８６３は、流用設定５１０と同一ボタンであるが、流用元の書誌情報が選択されていることを示すボタン色になる。
【００５０】
Ｓ７１８にて適用８４８が押下されず、（図８−２（Ｃ）の画面８４０上にて）プリント開始５１５が押下された場合（Ｓ７２０）は、Ｓ７２１へ進む。Ｓ７２１ではＳ７１９同様に選択済みの流用元情報をＨＤＤ２０５に保存する。Ｓ７０５では、データ管理部３０４が記憶制御部３０５を経由し、ＨＤＤ２０５に保存された書誌情報リスト４０１の流用元情報４０６に「設定あり」の書誌情報があるか否かを確認する。そして「設定有り」の書誌情報があれば「流用設定有り」と判断し、無ければ「流用設定無し」と判断する。
【００５１】
Ｓ７０５にて流用設定が無い場合は、前述の通りＳ７０７へ進みＳ７０３で選択された書誌情報の印刷ジョブを一括印刷実行する。Ｓ７０５にて流用設定がされていると判定した場合は、Ｓ７１９またはＳ７２１にて保存された流用元情報に基づき、「Ｓ７０３で選択された全書誌情報の印刷設定」に「Ｓ７１７で選択された流用元の書誌情報の印刷設定」を適用する。印刷設定の適用は、データ管理部３０４にてＳ７０５の設定流用の有無判断後、記憶制御部３０５経由でＨＤＤ２０５の該当書誌情報の印刷設定を更新する。その後、Ｓ７０７へ進み、Ｓ７０３で選択された書誌情報の印刷ジョブを一括印刷実行する。
【００５２】
ここで、Ｓ７１５にて図８−２（Ｃ）で表示する流用元候補の書誌情報リスト、Ｓ７１７における流用元の書誌情報選択について補足説明する。まず、Ｓ７１５にて図８−２（Ｃ）の流用設定画面８４０で表示する書誌情報リストについて補足する。流用設定画面８４０の書誌情報リストは、印刷ジョブリスト画面８００上の全書誌情報でも良いし、Ｓ７０３にて選択（図８−１（Ｂ）の５１８〜５２３で選択）された全書誌情報のみに限定しても良い。また、ユーザーの目的・嗜好に基づき不図示の管理設定画面より、そのどちらの書誌情報を表示するかユーザー選択可能としても良い。流用設定画面８４０に表示する書誌情報リストを、Ｓ７０３にて選択（図８−１（Ｂ）の選択欄５１８〜５２３で選択）された全書誌情報のみに限定したいケースは、Ｓ７０３で選択した書誌情報同士で印刷設定を揃えて一括印刷実行したい場合などである。この場合、Ｓ７０３で未選択の書誌情報が流用設定画面８４０にて流用元候補として必要以上に候補表示されてしまい、ユーザーの選択作業効率を下げる可能性が有る。
【００５３】
また図８−２（Ｃ）の流用元候補の書誌情報リスト表示時、同一印刷設定の書誌情報が複数ある場合、印刷設定グループ毎に表示しても良い。例えば、印刷設定グループ毎にリストの第一階層は代表ジョブの１書誌情報のみ表示（図８−４（Ｇ）の画面８８０）し、各代表ジョブの下の第二階層に同一設定の他ジョブの書誌情報を表示する（図８−４（Ｈ）の画面８８３）方法例がある。図８−４（Ｇ）の事例では、代表ジョブとして、印刷設定が相異なる書誌情報８５０、８５３のみを一覧表示する。図８−４（Ｇ）にてリスト開閉８８１を押下すると、図８−４（Ｈ）のリスト開閉８８４に切替わり、書誌情報８５０と同一印刷設定である書誌情報８５１、８５２が表示される。またリスト開閉８８５を押下すると、図８−４（Ｈ）のリスト開閉８８５に切替わり、書誌情報８５３と同一印刷設定である書誌情報８５４が表示される。
【００５４】
その他の書誌情報リスト表示例として、印刷設定グループ毎に同一設定の書誌情報がリスト上で隣接するようソート表示したり、印刷設定グループ毎に色分けしてリスト表示したりしても良い。
【００５５】
続いてＳ７１７の流用元の書誌情報選択について補足する。図８−２（Ｃ）の流用元候補の書誌情報リスト表示時、リスト表示した書誌情報に流用できない設定（流用不可設定）を含む場合がある。例えば、ＰＣ１０１上のプリンタドライバ側で２ｉｎ１指定し、プリンタドライバ側で２ｉｎ１画像を画像生成した上で、画像形成装置１０２にジョブ投入する場合がある。この場合、画像形成装置１０２側で画像を１ｉｎ１に戻すことが出来ない。画像形成装置１０２側で２ｉｎ１画像を分割して切り出すことも出来るが、１ｉｎ１にすると画質劣化が生じる。よって、Ｓ７０３にてプリンタドライバ側で２ｉｎ１とした書誌情報が選択され、かつ、Ｓ７１７で流用元に１ｉｎ１の書誌情報が選択されると、２ｉｎ１から１ｉｎ１への印刷設定変更を指示することになり、流用元に流用できない設定を含むことになる。
【００５６】
図８−１〜図８−６を例に説明する。図８−２（Ｄ）の印刷ジョブリスト画面で、選択５０４にて書誌情報５１２、５１３、８０１〜８０３が選択され、書誌情報５１２、５１３、８０１には印刷設定に２ｉｎ１が設定されている。この時、この書誌情報５１２、５１３、８０１の印刷ジョブの画像データは、ＰＣ１０１のプリンタドライバで２ｉｎ１画像にされているものとする。そして、図８−３（Ｅ）の流用設定画面で、流用元設定の書誌情報を８０５〜８５４の中から選択するが、書誌情報８５３、８５４の印刷設定に１ｉｎ１を含む。この時、書誌情報８５３、８５４を流用元として選択とすると、書誌情報５１２、５１３、８０１に対し印刷２ｉｎ１から１ｉｎ１へ印刷設定を変更する指示となるが、前述の通り画像形成装置１０２ではこの印刷設定変更処理を実行できない。
【００５７】
この問題に対する対処として、流用不可設定を含む書誌情報を流用元として選択不可として、良いし、流用元として選択可能とするが流用不可設定のみマスク（非流用）し他設定（流用可能設定）のみ流用するようにしても良い。
【００５８】
流用不可設定を含む書誌情報を選択不可とする手段としては、図８−５（Ｉ）の流用設定画面８８６のように、図８−３（Ｅ）の該当書誌情報（８５３、８５４）をリスト上で非表示とする方法がある。また、図８−５（Ｊ）の流用設定画面８８７のように、該当書誌情報（８５３、８５４）をグレーアウトしても良い。
【００５９】
その他、警告表示する方法もある。例えば、図８−６（Ｋ）の流用設定画面８８８ように、流用元の書誌情報として選択８４１にてチェック８８９が選択されているとする。この時、書誌情報８５３には流用不可設定の１ｉｎ１が設定されている。この状態で、Ｓ７１８で図８−６（Ｋ）の適用８４９が押下された場合に、図８−６（Ｌ）の流用設定画面８９０のように、画面８９０上にポップアップ画面８９１を表示し、適用しようとしている流用元の書誌情報に流用不可設定を含むことを警告表示する。更に、流用不可設定以外の流用可能設定のみ流用を適用することを表記し、ＯＫ８９３またはキャンセル８９２にてユーザーが、流用可能設定のみ流用するか否かを選択可能とする。ＯＫ８９３を押下した場合、流用可能設定のみ流用設定する。キャンセル８９２を押下した場合、流用設定を適用せずに図８−６（Ｋ）の流用設定画面８８８に戻る。また、ポップアップ表示８９１のように、流用不可設定の情報を表記しても良い。
【００６０】
なお流用不可の判定は、流用不可となる項目または項目ごとの値を予め決めておくことで実現してよい。たとえば上述した例のレイアウト設定であれば、書誌情報として、１ｉｎ１以外のレイアウト設定がドライバによる設定であるかどうかを示す情報を持たせておく。そして流用先の書誌情報の印刷設定に１ｉｎ１以外のレイアウト設定が含まれ、かつ、それがドライバにより設定されたものなら、そのレイアウトは画像形成装置では変更不可と判定する。その場合、流用先のそのレイアウトと異なるレイアウト設定の書誌情報は流用元として選択不可としてよい。さらに、印刷対象として選択された複数の印刷ジョブに、１ｉｎ１以外の相異なるレイアウトがドライバにより設定されている場合には、それらのレイアウトを画像形成装置の設定変更によって統一することが困難なこともある。そこでこのような場合には「流用設定」のボタンそのものをグレイアウトして選択不可としてもよい。このように、流用できない設定を、流用先と流用元の書誌情報の設定に関連付けて予め決定して保存しておくことで、流用元とはできない印刷設定を判定することができる。
【００６１】
最後に、Ｓ７２２〜Ｓ７２７について詳細説明する。Ｓ７２２〜Ｓ７２７の各ステップはそれぞれ、Ｓ７１４〜Ｓ７１９の各ステップと同等の処理である。Ｓ７０３にて書誌情報選択がされているか否かに差異があるため、図８−１〜図８−６における画面差分もそれによる画面差異がある。
【００６２】
Ｓ７０３にて書誌情報選択されていない場合、Ｓ７２２へ進む。Ｓ７２２にて流用設定５１０が押下されたか否かを判断し、押下されていない場合はＳ７０２へ進み図８−１（Ａ）の画面８００に戻る。Ｓ７２２にて流用設定５１０が押下されたと判断した場合は、Ｓ７２３へ進む。
【００６３】
Ｓ７２３では流用設定画面として、図８−３（Ｅ）の画面８７０を表示する。Ｓ７２３で表示される流用設定画面８７０は、Ｓ７１５で表示される図８−２（Ｃ）の画面８４０とほぼ同一構成であるが、図８−２（Ｃ）の画面８４０で表示されるプリント開始８４６は、図８−３（Ｅ）の画面８７０では非表示である。印刷実行対象の書誌情報がＳ７０３にて選択されていないため、プリント開始８４６を非表示としている。
【００６４】
図８−３（Ｅ）で表示する書誌情報リストについて補足する。前述した通り、Ｓ７１５にて図８−２（Ｃ）で表示する書誌情報リストについて、印刷ジョブリスト画面８００上の全書誌情報でも良いし、Ｓ７０３にて選択（図８−１（Ｂ）の５１８〜５２３で選択）された全書誌情報のみに限定しても良いとした。しかし、Ｓ７２３にて図８−３（Ｅ）で表示する書誌情報リストは、Ｓ７０３における書誌情報選択がされていない状態であるため、印刷ジョブリスト画面８００上の全書誌情報を表示するものとする。
【００６５】
Ｓ７２４にてキャンセル８４８を押下されたと判断した場合、Ｓ７０２へ進み図８−１（Ａ）の画面８００に戻る。Ｓ７２４にてキャンセル８４８が押下されていないと判断した場合、Ｓ７２５へ進む。Ｓ７２５では、図８−３（Ｅ）の選択８４１でユーザーが印刷設定流用元の書誌情報を選択したか否か判断し、選択されていなければＳ７２３へ進み、選択されていればＳ７２６へ進む。Ｓ７２６では図８−３（Ｅ）にて適用８４８が押下されたか否かを判断する。
【００６６】
Ｓ７２６で適用８４８が押下されていないと判定されれば、Ｓ７２３に進む。Ｓ７２６で適用８４８が押下されＵＩ制御部３０２が適用８４８押下を受信すると、データ管理部３０４が記憶制御部３０５を経由し、選択８４１の選択情報（印刷設定流用元の書誌情報）を流用元情報としてＨＤＤ２０５に保存する（Ｓ７２７）。そして、Ｓ７２７にて流用元情報を保存後、Ｓ７０２へ進み印刷ジョブリスト画面へ戻り、図８−３（Ｆ）の画面８７１の表示状態となる。図８−３（Ｆ）は、Ｓ７０３で書誌情報が選択されていないため、選択５０４のチェックボックスにはチェックが無い。また、Ｓ７２７で保存された流用元情報に基づき、流用元書誌情報であることを示すチェック８６２が流用元選択８６１に表示される。図８−３（Ｆ）では、書誌情報８０１が流用元の書誌情報であることを示している。
【００６７】
また、Ｓ７２７にて保存された流用元情報は、Ｓ７１９、Ｓ７２１で保存された流用元情報同様に、Ｓ７０５における流用設定の有無の判断に用いられる。
【００６８】
なお、Ｓ７２２以下の手順では流用先の書誌情報が選択されていないため、流用元として選択された書誌情報の印刷設定を流用できるか否かを判定できない。この判定のタイミングは印刷対象の印刷ジョブが選択された後となる。そこで印刷対象の印刷ジョブ(すなわち書誌情報)を選択するときに、流用の可不可を判定し、流用先とはできない書誌情報を、選択できない状態で表示してもよい（非表示としてもよい）。
【００６９】
実施例１によれば、ユーザーは、印刷ジョブリスト５２０からプリント設定画面６００へ画面遷移して印刷設定変更・印刷実行する従来の印刷設定変更手順と同等の画面操作手順にて、留め置きした印刷ジョブの流用設定・印刷実行を実施することが出来る。また、「同一印刷設定の印刷ジョブ」や「流用出来ない流用不可設定」を考慮した流用設定画面（８８０、８８３、８８６、８８７、８８８、８９０）を表示することで、ユーザーは効率良く流用設定することが出来る。
【００７０】
［実施例２］
図９は流用設定チェックボックスによる印刷設定変更（流用設定）を含む印刷実行フローである。図９は、実施例１の図７同様に、留め置き印刷ジョブの中から１つ以上の印刷ジョブを選択し、選択した印刷ジョブを一括で印刷実行する印刷実行フローである。この印刷実行フローには、プリント設定画面で印刷設定の各設定項目を変更する印刷設定変更フロー（プリント設定フロー）を含む。また図９の印刷実行フローは、本実施例において特徴的な、「選択した印刷ジョブの印刷設定」を「留め置きした任意１印刷ジョブの印刷設定」へ印刷設定変更（流用設定）する印刷設定変更フロー（流用設定フロー）を含む。図９のフローチャートは、システムソフトウェア３０１において、画像形成装置１０２のＣＰＵ２０２で実行される。
【００７１】
また図１０−１、図１０−２は流用設定チェックボックスによる印刷設定変更（流用設定）の画面例であり、図９における流用設定フローにおいて、操作部２０７に表示される画面である。まず、図９のフローチャートについて概要説明する。
【００７２】
Ｓ９０１〜Ｓ９０４、Ｓ９０７の処理は、留め置きジョブから書誌情報を選択し（Ｓ９０３）、選択した書誌情報の印刷ジョブを一括印刷実行（Ｓ９０７）するフローである。Ｓ９０８〜Ｓ９１３は、選択した書誌情報（Ｓ９０３）の印刷設定について各各項目をユーザーが手動で印刷設定変更する際のフローである。
【００７３】
Ｓ９０５、Ｓ９０６、Ｓ９１４、Ｓ９１５は本発明を特徴とするフローであり、「選択した書誌情報の印刷設定（Ｓ９０３、流用先）」に「留め置き中の１書誌情報の印刷設定（流用元）」を流用して設定変更（流用設定）するための、流用設定フローである。続いて、図９のフローチャートについて詳細説明する。
【００７４】
Ｓ９０８〜Ｓ９１３は、実施例１図７のＳ７０８〜Ｓ７１３と同等であり詳細説明を省略する。Ｓ９０１〜Ｓ９０７、Ｓ９１４、Ｓ９１５について、実施例１との差分にて詳細説明する。
【００７５】
図９のＳ９０１は、図７のＳ７０１と同等であり、ログインユーザーの書誌情報リストを取得する。そして、取得した書誌情報リストを操作部２０７に印刷ジョブリスト画面として表示し（Ｓ９０２）、ユーザー操作により書誌情報の選択が可能な状態とする。Ｓ９０２で表示する印刷ジョブリスト画面例は図１０−１（Ａ）である。
【００７６】
図１０−（Ａ）は、図５（Ａ）、図８−１（Ａ）と同等の構成であり、画面１０００は印刷ジョブリスト画面であり画面５００、画面８００と同等である。図１０−（Ａ）ではＳ９０１で取得される書誌情報は、図８−１（Ａ）で説明した５１２、５１３、８０１〜８０３が取得されたものとする。ここで、実施例１同様に、本実施例の画面ユースケースにおいて、書誌情報５１２、５１３、８０１はユーザー所望の印刷設定でジョブ投入されたものとする。一方、書誌情報８０２、８０３はユーザーがＰＣ１０１上のプリンタドライバにて所望の印刷設定にするのを忘れ、所望の印刷設定とは異なる印刷設定にてジョブ投入されたものとする。また、書誌情報５１２、５１３、８０１〜８０３に対してユーザーが所望する印刷設定はいずれも同一の印刷設定であることを想定する。
【００７７】
図１０−１（Ａ）では、書誌情報５１２、５１３、８０１〜８０３を選択し、選択した全書誌情報の印刷設定を書誌情報８０１の印刷設定へと一括で設定変更（流用設定）、印刷実行する際の画面ユースケースを示している。これにより、所望の印刷設定をし忘れてジョブ投入した書誌情報８０２、８０３を所望の印刷設定へと訂正した上で、書誌情報５１２、５１３、８０１〜８０３を所望の順に一括印刷実行可能となる。
【００７８】
図９のＳ９０３では、ユーザーが図１０−１（Ａ）の選択５０４にて書誌情報を選択したか否かを判断する。書誌情報が選択されていればＳ９０４へ進み、書誌情報が選択されていなければＳ９１４へ進む。
【００７９】
Ｓ９０４では、図１０−１（Ｂ）の画面のように、選択５０４においてユーザーがチェック５１８、５１９、８２１、８２２、８２３を順に選択した状態である。図１０−（Ｂ）の選択状態では印刷実行時、書誌情報５１２、５１３、８０１、８０２、８０３の順に印刷ジョブが実行される。
【００８０】
Ｓ９０４でプリント開始５１５が押下されると、Ｓ９０５へ進み流用設定の有無を判断する。ここで、流用設定の有無についての判断は後述する。Ｓ９０５で流用設定が無い場合は、Ｓ９０７へ進み、前記Ｓ９０３で選択された書誌情報の印刷ジョブを選択された順に一括で印刷実行する。Ｓ９０５で流用設定が有る場合はＳ９０６へ進む。Ｓ９０６については後述する。
【００８１】
Ｓ９１４では、図１０−１（Ａ）または図１０−１（Ｂ）の印刷ジョブリスト画面１０００または１０１０が表示される。Ｓ９１４において、流用元選択１００１にて流用元の１つのジョブに対応する書誌情報を選択可能である。この流用元選択１００１を選択した上でプリント開始５１５を押下すると、「選択５０１で選択した書誌情報（流用先の書誌情報）の印刷設定」を「流元選択１００１で選択した書誌情報（流用元の書誌情報）の印刷設定」へ設定変更した上で印刷実行する。Ｓ９１４で流用元の書誌情報が選択されると、選択した書誌情報の流用元情報４０６を「設定無し」から「設定あり」へ更新しＨＤＤ２０５に保存する（Ｓ９１５）。そして、Ｓ９１５にて流用元情報を保存後、Ｓ９０２へ進み図１０−２（Ｃ）または図１０−２（Ｄ）の印刷ジョブリスト画面１０２０または１０３０の表示状態となる。図１０−２（Ｃ），図１０−２（Ｄ）ではいずれも、流用元１００１にて、チェック１０２１が選択されている。
【００８２】
Ｓ９０５では、ＨＤＤ２０５に保存されている書誌情報の流用元情報４０６を参照して流用設定の有無を判定する。Ｓ９１５で流用元情報４０６が「設定あり」と更新された書誌情報があれば、Ｓ９０５にて「流用設定有り」と判断し、なければ「流用設定無し」と判断する。
【００８３】
Ｓ９０５にて流用設定有りと判断した場合、Ｓ９０６へ進む。Ｓ９０６では、「選択５０１で選択した書誌情報（流用先の書誌情報）の印刷設定」を「流元選択１００１で選択した書誌情報（流用元の書誌情報）の印刷設定」へ設定変更（流用設定）する。図１０−２（Ｃ）の画面例では、流用元選択１００１のチェック１０２１にて書誌情報８０１が選択され、選択５０４にてチェック５１８、５１９、８２１〜８２３にて書誌情報５１２、５１３、８０１〜８０３が選択されている。よってプリント開始５１５が押下されると、書誌情報８０１の印刷設定を書誌情報５１２、５１３、８０１〜８０３の印刷設定に適用（流用設定）し、書誌情報５１２、５１３、８０１〜８０３を選択５０４の順に一括印刷実行する。
【００８４】
ここで、Ｓ９１４における流用元の書誌情報選択について補足説明する。実施例１で補足説明したＳ７１７同様に、Ｓ９１４での流用元の書誌情報選択時、リスト表示されている書誌情報に流用できない設定（流用不可設定）を含む場合がある。例えば、印刷ジョブリスト画面１０１０で流用元選択１００１が未選択状態で選択５０４が選択された状態において、流用元選択１００１の選択候補である流用元書誌情報に流用不可設定を含む場合がある。この場合、流用元選択１００１にて、流用不可設定を含む書誌情報のチェックボックスを非表示とし、該当書誌情報を選択不可としても良い。また、印刷ジョブリスト画面１００１で選択５０４が未選択状態で流用元選択１００１が選択されている状態において、流用元書誌情報が、選択５０４の選択候補である流用先書誌情報に対して流用できない流用不可設定を含む場合が有る。この場合、選択５０４にて、流用できない設定を含む流用先書誌情報のチェックボックスを非表示とし、該当書誌情報を選択不可としても良い。
【００８５】
その他、流用元書誌情報に流用不可設定を含む場合、実施例１のポップアップ画面８９１同等の警告表示をし、流用可能設定のみ流用設定しても良い。例えば、印刷ジョブリスト画面１０２０で選択５０４・流用元選択１００１が選択されている状態において、流用元書誌情報に流用不可設定を含む場合、プリント開始５１５押下時にポップアップ画面８９１同等の表示をしても良い。
【００８６】
実施例２によれば、ユーザーは、印刷ジョブリスト画面（１０００、１０１０、１０２０、１０３０）から画面遷移することなく、簡素な画面操作手順にて留め置きした印刷ジョブの流用設定・印刷実行を実施することが出来る。また、「流用出来ない流用不可設定」を考慮した流用設定画面を表示することで、実施例１同様にユーザーは効率良く流用設定することが出来る。
【００８７】
以上説明した実施例1、実施例２によれば、画像形成装置１０２に留め置きした印刷ジョブの中から選択した複数印刷ジョブを、留め置きした任意１印刷ジョブの印刷設定に設定変更可能である。また、その際に、留め置きした印刷ジョブをユーザー所望の印刷順序で印刷実行することができる。
【００８８】
また、本発明と同様の効果が得られるのであれば、実施の形態は、本実施例で説明した実施の形態に限定されない。
【００８９】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００９０】
発明は上記実施形態に制限されるものではなく、発明の精神及び範囲から離脱することなく、様々な変更及び変形が可能である。従って、発明の範囲を公にするために請求項を添付する。
【符号の説明】
【００９１】
１０１  ＰＣ、１０２  画像形成装置、２０１  コントローラ、２０２  ＣＰＵ、３０２  ＵＩ制御部、３０４  データ管理部、３０５  記憶制御部
【図１】
2020199692.tif 000003
【図２】
2020199692.tif 000004
【図３】
2020199692.tif 000005
【図４】
2020199692.tif 000006
【図５】
2020199692.tif 000007
【図６−１】
2020199692.tif 000008
【図６−２】
2020199692.tif 000009
【図７−１】
2020199692.tif 000010
【図７−２】
2020199692.tif 000011
【図８−１】
2020199692.tif 000012
【図８−２】
2020199692.tif 000013
【図８−３】
2020199692.tif 000014
【図８−４】
2020199692.tif 000015
【図８−５】
2020199692.tif 000016
【図８−６】
2020199692.tif 000017
【図９】
2020199692.tif 000018
【図１０−１】
2020199692.tif 000019
【図１０−２】
2020199692.tif 000020